(57)【特許請求の範囲】
【請求項１】
本体部分Ｂと蓋Ｃからなり、本体部分Ｂと蓋Ｃがヒンジ部ｈを介して結合した手帳型携帯ケースにおいて、投影型静電容量方式のタッチパネル式携帯端末装置Ｐｈが手帳型携帯ケースに収納されてなると共に、導電性パーツＫ１が、手帳型携帯ケースの蓋Ｃの表面から裏面を貫通して設置されてなり、蓋Ｃを閉じた状態で、タッチパネル式携帯端末装置のパネル画面Ｐ１と接触してなり、蓋Ｃを閉じたままで、導電性パーツＫ１を指でタッチすることによって、パネル画面Ｐ１に指でタッチしたと同様の効果を得ることを特徴とする導電性パーツ付き手帳型携帯ケース。
【請求項２】
導電性パーツＫ１が、タッチパネル式携帯端末装置のパネル画面Ｐ１の直上に位置していることを特徴とする請求項１に記載された導電性パーツ付き手帳型携帯ケース。
【請求項３】
導電性パーツＫ１を指でタップ、又は、スワイプすることによって、パネル画面Ｐ１に指で直接タップ、又は、スワイプしたと同様の効果を得ることを特徴とする請求項１〜２の何れかに記載された導電性パーツ付き手帳型携帯ケース。
【請求項４】
本体部分Ｂと蓋Ｃからなり、本体部分Ｂと蓋Ｃを介して結合した手帳型携帯ケースにおいて、投影型静電容量方式のタッチパネル式携帯端末装置Ｐｈが手帳型携帯ケースに収納されてなると共に、導電性パーツＫ１〜Ｋｎが、手帳型携帯ケースの蓋Ｃの表面から裏面を貫通するように設置されてなり、蓋Ｃを閉じた状態で、タッチパネル式携帯端末装置のパネル画面Ｐ１〜Ｐｎと接触してなり、蓋Ｃを閉じたままで、導電性パーツＫ１〜Ｋｎを指でスワイプすることによって、パネル画面Ｐ１〜Ｐｎに指でスワイプしたと同様の効果を得ることを特徴とする請求項１〜３の何れかに記載された導電性パーツ付き手帳型携帯ケース。
ここに、ｎは２以上の自然数である。
【請求項５】
導電性パーツＫ１〜Ｋｎが、タッチパネル式携帯端末装置のパネル画面Ｐ１〜Ｐｎの直上に位置していることを特徴とする請求項１〜４の何れかに記載された導電性パーツ付き手帳型携帯ケース。
ここに、ｎは２以上の自然数である。
【請求項６】
電話が掛かってきた場合、蓋Ｃを閉じたままで、Ｋ１〜Ｋ４をスワイプすることによって、パネル画面Ｐ１〜Ｐ４に指でスワイプしたと同様の効果を得ることを特徴とする請求項１〜５の何れかに記載された導電性パーツ付き手帳型携帯ケース。
【請求項７】
電話が掛かってきた場合、蓋Ｃを閉じたままで、パネル画面観察窓Ｗｄｗに表示される電話番号を確認し、Ｋ１〜Ｋ４をスワイプすることによって、パネル画面Ｐ１〜Ｐ４に指でスワイプしたと同様の効果を得ることを特徴とする請求項１〜６の何れかに記載された導電性パーツ付き手帳型携帯ケース。
【請求項８】
導電性パーツが、銅材、アルミニューム材、その他の金属材料、シリコン材から構成されていることを特徴とする請求項１〜７の何れかに記載された導電性パーツ付き手帳型携帯ケース。
【発明の詳細な説明】
【技術分野】
【０００１】
本発明は、導電性パーツ付き手帳型携帯ケースに関する。
【背景技術】
【０００２】
手帳型携帯ケースに収納されてなる投影型静電容量方式のタッチパネル式携帯端末装置においては、入力操作時にはパネル画面を覆う蓋を閉状態から開状態とする必要があり手間がかかっており、特に、緊急を要する入力操作が必要な場合には、この蓋の開操作は極めて煩わしいという欠点があった。
【０００３】
特に、手帳型携帯ケースに収納されてなる電話機能等を有する投影型静電容量方式タッチパネル式携帯端末装置において、電話機能を選択して通話する場合、手帳型携帯ケースの蓋を開いて表示装置に表示された画面を指で直接触れて操作する必要があり、即座に通話を開始できないという問題点があった。
【先行技術文献】
【特許文献】
【０００４】
本発明に係る導電性パーツ付き手帳型携帯ケースについて、ＦＩ、キーワード検索を行ったところ、本件発明（請求項１〜８に記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、手帳型携帯ケースに収納されてなる投影型静電容量方式タッチパネル式携帯端末装置においては、手帳型携帯ケースの蓋の開操作を行わなくても入力操作を可能とした導電性パーツ付き手帳型携帯ケースを提供することである。
○本発明が解決しようとする第２課題
本発明が解決しようとする第２課題は、電話がかかってきた場合であっても、手帳型携帯ケースの蓋を閉じたままで即座に、電話応答を可能とした導電性パーツ付き手帳型携帯ケースを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○本発明に係る、導電性パーツ付き手帳型携帯ケース１００は、導電性パーツＫ１（又は、導電性パーツが複数の場合は、Ｋ１〜Ｋｎ）が、手帳型携帯ケースの蓋Ｃの表面から裏面を貫通して設置されてなることを特徴とするケースである。
手帳型携帯ケース１００とは、携帯端末装置Ｐｈを収納するためのケースであって、本体部分Ｂと蓋Ｃからなり、本体部分Ｂと蓋Ｃがヒンジ部ｈを介して結合したケースである。
ここに、本願特許請求の範囲、明細書、図面において、導電性パーツ付き手帳型携帯ケース１００を、単に、手帳型携帯ケース１００ともいう。
○本体部分Ｂとは、導電性パーツ付き手帳型携帯ケース１００の構成要素の一つであって、導電性パーツ付き手帳型携帯ケース１００を収納するものである。
ここに、本願特許請求の範囲、明細書、図面において、投影型静電容量方式のタッチパネル式携帯端末装置Ｐｈを、単に、タッチパネル式携帯端末装置Ｐｈ、あるいは、携帯端末装置Ｐｈともいう。
○蓋Ｃは、導電性パーツ付き手帳型携帯ケース１００の構成要素の一つであって、
一般には、携帯端末装置Ｐｈを使用しない場合には、携帯端末装置Ｐｈを覆って塞ぎ、携帯端末装置Ｐｈを使用する場合は、開けて携帯端末装置Ｐｈが見えるようにするものをいう。
○ヒンジ部ｈとは、本体部分Ｂと蓋Ｃをヒンジ構造でフレクシブルに結合するものであり、手帳に例えれば、背表紙に相当するものである。
○タッチパネルとは、
液晶パネルのような表示装置と位置入力装置を組み合わせた電子部品であって、座標を感知する透明のパネルをディスプレーの上にかぶせ、指でパネルにタッチして座標位置を入力等する電子部品をいう。近年はマルチタッチ式のディスプレーを搭載したスマートホン、タブレット型端末、携帯型ゲーム機などが広く普及している。
タッチスクリーン（英：  Ｔｏｕｃｈ  ｓｃｒｅｅｎ）やタッチ画面などとも呼ばれる。
タッチパネルは表示と入力の２つの機能を備えており、コンピューター等の外部から受けた画像情報を液晶画面等のパネル画面で表示すると共に、操作者がその画面に表示された絵やピクトグラムなどの点または領域に指で触れたりすることにより、触れられた画面位置の情報を感知して情報信号として出力する。
操作者は画面に表示された部分を押したり滑らせたりするなど、操作が直感的に理解しやすいため、扱いやすい装置となっている。
○投影型静電容量方式のタッチパネルとは、
投影型の静電容量方式は指先の多点検出が可能な電子部品である。一般に投影型静電容量方式のタッチパネルは、絶縁体フィルムとその下の電極層、さらに制御ＩＣを搭載する基板層から構成される。絶縁体フィルムの下の電極層にはＩＴＯ等の透明電極によって縦横２層からなる多数のモザイク状電極パターンがガラスやプラスチックなどの基板上に配置される。指が触れるとその付近の電極の静電容量の変化を縦横２つの電極列から知ることで位置を精密に判別できる。縦と横に走る多数の電極列によって、多点検出が可能となる。
一方の電極層にＸ電極を、他方の電極層にＹ電極がコーティングされてあり、それぞれの電極が向かい合うように、ガラスが貼り合わせてある。  
人体は水分が多く導電性があるので、指が電極に触ると（或いは、近づくと）、指と電極間に容量結合が発生する。
容量結合が発生した部分の電極間では、電極間の容量値が大きくなるので、どこの電極間で容量値が大きくなっているのかを調べて、タッチ位置を検出する。
Ｘ電極とＹ電極はマトリックス状に配置されている（図３を参照）。
（Ｘ３−Ｘ４、Ｙ４−Ｙ５）の電極部分がタッチされると、（Ｘ３−Ｘ４、Ｙ４−Ｙ５）の電極間の容量値が変化し、タッチ位置が分る（図３を参照）。
○タップとは、マルチタッチ方式のタッチパネルの操作方法のひとつで、指を画面に、ちょんと短くタッチすることをいう。
○スワイプとは、マルチタッチ方式のタッチパネルの操作方法のひとつで、指を画面に触れたまま滑らせることをいう。前後、左右の画面の移動などに用いられる。
○導電性パーツＫ１とは、手帳型携帯ケースの蓋Ｃに配置された導電性パーツＫ１〜Ｋｎが、蓋Ｃの表面と裏面を貫通してなり、かつ、蓋Ｃを閉じた状態で、タッチパネル式携帯端末装置のパネル画面Ｐ１と接触してなる導電性体である。
導電性パーツＫ１とは、例えば、ｌｘ×ｌｙ×ｔの寸法の直方体である。
導電性パーツＫ１の周りは絶縁体で絶縁されている。
○パネル画面Ｐ１とは、投影型静電容量方式のタッチパネル式携帯端末装置における表示画面全体を領域Ｐ１に区分けして、領域Ｐ１の表示画面の直上に位置する指でタッチ入力できるパネル領域をいう。
パネル画面Ｐ１とは、例えば、ｌｘ×ｌｙの寸法の長方形である。
○導電性パーツＫ１〜Ｋｎとは、導電性パーツ付き手帳型携帯ケース１００の蓋Ｃに配置された導電性パーツＫ１〜Ｋｎが、蓋Ｃの表面と裏面を貫通してなり、かつ、蓋Ｃを閉じた状態で、タッチパネル式携帯端末装置のパネル画面Ｐ１〜Ｐｎと接触してなる導電性体である。
導電性パーツＫ１〜Ｋｎとは、例えば、ｌｘ×ｌｙ×ｔの寸法の直方体である。
導電性パーツＫ１〜Ｋｎの周りは絶縁体で絶縁されている。導電性パーツＫ１〜Ｋｎ同士は、何れも絶縁体で絶縁されている。
○パネル画面Ｐ１〜Ｐｎとは、投影型静電容量方式のタッチパネル式携帯端末装置Ｐｈにおけるパネル画面Ｐ全体を領域Ｐ１〜Ｐｎに区分けして、領域Ｐ１〜Ｐｎの表示画面の直上に位置する指でタッチ入力できるパネル領域をいう。
パネル画面Ｐ１〜Ｐｎとは、例えば、ｌｘ×ｌｙの寸法の長方形である。
○パネル画面観察窓Ｗｄｗとは、蓋Ｃを閉じたままで、表示パネルに表示された電話番号を確認できるように、蓋Ｃに設置してなる開口窓をいう。
開口窓には、透明なガラス等が張られているのが一般的である。
＜模擬実験＞
発明者は、本発明を完成させるにあたり、以下のような模擬実験を行った。
●はじめに、
発明者は、経験的に金属片を手に持って携帯端末装置のタッチパネルを操作しても（例えば、導電性の指サックを使用して携帯端末装置のタッチパネルを操作する場合）、操作可能であることを予め知っていた。
●模擬実験１（図４、図５（ｂ）図）
そこで、上記の事実を化学的に把握すべく、導電性パーツＫ１（本発明完成前なので、種々寸法大きさを変えて模擬実験を行った。）と指に導電接触させるための導電性パーツ指付着具５０を作成し、指にはめて、導電性パーツ指付着具５０の導電性パーツＫ１が、パネル画面Ｐ１にタッチさせた（図４、図５（ｂ）図）。そして、パネル画面Ｐ１に指で、タッチしたと同様の効果を得ることを確認した（図４、図５（ｂ）図）。
次に、導電性パーツ指付着具５０を指にはめて、導電性パーツ指付着具５０の導電性パーツＫ１を、パネル画面Ｐ１にタップ、又は、スワイプさせた。（図４、図５（ｂ）図）。そして、パネル画面Ｐ１に指で、タップ、又は、スワイプしたと同様の効果を得ることを確認した（図４、図５（ｂ）図）。
●模擬実験２（図７を参照）
また、発明者は、導電性パーツＫ１、Ｋ２、Ｋ３、Ｋ４をタッチパネル部Ｐ１、Ｐ２、Ｐ３、Ｐ４の直上に載せて置き、導電性パーツＫ１〜Ｋ４がパネル画面Ｐ１〜Ｐ４に接触しているにも拘わらず、指がＰ１〜Ｐ４に触れていないと同様に何ら操作性に影響されないことを確認した（図７）。
次に、指でパネル画面Ｐ１上のＫ１に指をタッチしたところ、指でＰ１にタッチしたと同様の効果を得ることを確認した。（図７）。
さらに、指でパネル画面Ｐ１上のＫ１に指をタップ、又は、スワイプしたところ、指でＰ１にタップ、又は、スワイプしたと同様の効果を得ることを確認した（図７）。
●発明者の着想からの発明の完成
発明者は、本発明の蓋Ｃに導電性パーツＫ１〜Ｋ４をはめ込んで、蓋Ｃを閉じたままで、タッチすれば、模擬実験２から、本発明の効果が得られるであろうことを着想し、本発明を完成させた（図６）。
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
本体部分Ｂと蓋Ｃからなり、本体部分Ｂと蓋Ｃがヒンジ部ｈを介して結合した手帳型携帯ケースにおいて、投影型静電容量方式のタッチパネル式携帯端末装置Ｐｈが手帳型携帯ケースに収納されてなると共に、導電性パーツＫ１が、手帳型携帯ケースの蓋Ｃの表面から裏面を貫通して設置されてなり、蓋Ｃを閉じた状態で、タッチパネル式携帯端末装置のパネル画面Ｐ１と接触してなり、蓋Ｃを閉じたままで、導電性パーツＫ１を指でタッチすることによって、パネル画面Ｐ１に指でタッチしたと同様の効果を得ることを特徴とする導電性パーツ付き手帳型携帯ケースである。
○第２の発明（請求項２に記載の発明）
上記の課題を解決するための第２の発明（請求項２に記載の発明）は、
導電性パーツＫ１が、タッチパネル式携帯端末装置のパネル画面Ｐ１の直上に位置していることを特徴とする請求項１に記載された導電性パーツ付き手帳型携帯ケースである。
○第３の発明（請求項３に記載の発明）
上記の課題を解決するための第３の発明（請求項３に記載の発明）は、
導電性パーツＫ１を指でタップ、又は、スワイプすることによって、パネル画面Ｐ１に指で直接タップ、又は、スワイプしたと同様の効果を得ることを特徴とする請求項１〜２の何れかに記載された導電性パーツ付き手帳型携帯ケースである。
○第４の発明（請求項４に記載の発明）
上記の課題を解決するための第４の発明（請求項４に記載の発明）は、
本体部分Ｂと蓋Ｃからなり、本体部分Ｂと蓋Ｃを介して結合した手帳型携帯ケースにおいて、投影型静電容量方式のタッチパネル式携帯端末装置Ｐｈが手帳型携帯ケースに収納されてなると共に、導電性パーツＫ１〜Ｋｎが、手帳型携帯ケースの蓋Ｃの表面から裏面を貫通するように設置されてなり、蓋Ｃを閉じた状態で、タッチパネル式携帯端末装置のパネル画面Ｐ１〜Ｐｎと接触してなり、蓋Ｃを閉じたままで、導電性パーツＫ１〜Ｋｎを指でスワイプすることによって、パネル画面Ｐ１〜Ｐｎに指でスワイプしたと同様の効果を得ることを特徴とする請求項１〜３の何れかに記載された導電性パーツ付き手帳型携帯ケースである。
ここに、ｎは２以上の自然数である。
○第５の発明（請求項５に記載の発明）
上記の課題を解決するための第５の発明（請求項５に記載の発明）は、
導電性パーツＫ１〜Ｋｎが、タッチパネル式携帯端末装置のパネル画面Ｐ１〜Ｐｎの直上に位置していることを特徴とする請求項１〜４の何れかに記載された導電性パーツ付き手帳型携帯ケースである。
ここに、ｎは２以上の自然数である。
○第６の発明（請求項６に記載の発明）
上記の課題を解決するための第６の発明（請求項６に記載の発明）は、
電話が掛かってきた場合、蓋Ｃを閉じたままで、Ｋ１〜Ｋ４をスワイプすることによって、パネル画面Ｐ１〜Ｐ４に指でスワイプしたと同様の効果を得ることを特徴とする請求項１〜５の何れかに記載された導電性パーツ付き手帳型携帯ケースである。
○第７の発明（請求項７に記載の発明）
上記の課題を解決するための第７の発明（請求項７に記載の発明）は、
電話が掛かってきた場合、蓋Ｃを閉じたままで、パネル画面観察窓Ｗｄｗに表示される電話番号を確認し、Ｋ１〜Ｋ４をスワイプすることによって、パネル画面Ｐ１〜Ｐ４に指でスワイプしたと同様の効果を得ることを特徴とする請求項１〜６の何れかに記載された導電性パーツ付き手帳型携帯ケースである。
○第８の発明（請求項８に記載の発明）
上記の課題を解決するための第８の発明（請求項８に記載の発明）は、
導電性パーツが、銅材、アルミニューム材、その他の金属材料、シリコン材等から構成されていることを特徴とする請求項１〜７の何れかに記載された導電性パーツ付き手帳型携帯ケースである。
【発明の効果】
【０００７】
本発明に係る、導電性パーツ付き手帳型携帯ケースは、上記のような特徴的構成要件から構成され、特徴的構成要件に応じた、以下のような本発明特有の効果を奏する。
また、上記の各発明に応じた、上記のような特徴的構成要件から構成された導電性パーツ付き手帳型携帯ケースによれば、本発明の課題を十分解消することができた。
○第１の発明の効果
第１の発明によれば、
本体部分Ｂと蓋Ｃからなり、本体部分Ｂと蓋Ｃがヒンジ部ｈを介して結合した手帳型携帯ケースにおいて、投影型静電容量方式のタッチパネル式携帯端末装置Ｐｈが手帳型携帯ケースに収納されてなると共に、導電性パーツＫ１が、手帳型携帯ケースの蓋Ｃの表面から裏面を貫通して設置されてなり、蓋Ｃを閉じた状態で、タッチパネル式携帯端末装置のパネル画面Ｐ１と接触してなり、蓋Ｃを閉じたままで、導電性パーツＫ１を指でタッチすることによって、パネル画面Ｐ１に指でタッチしたと同様の効果を得ることという特徴的な構成要件により、本発明が解決しようとする第１課題〜第２課題を達成することができ、当業者予測不可能な顕著な効果を奏することができた。
○第２の発明の効果
第２の発明によれば、
導電性パーツＫ１が、タッチパネル式携帯端末装置のパネル画面Ｐ１の直上に位置していることという特徴的な構成要件により、本発明が解決しようとする第１課題〜第２課題を達成することができ、当業者予測不可能な顕著な効果を奏することができた。
○第３の発明の効果
第３の発明によれば、
導電性パーツＫ１を指でタップ、又は、スワイプすることによって、パネル画面Ｐ１に指で直接タップ、又は、スワイプしたと同様の効果を得ることという特徴的な構成要件により、本発明が解決しようとする第１課題〜第２課題を達成することができ、当業者予測不可能な顕著な効果を奏することができた。
○第４の発明の効果
第４の発明によれば、
本体部分Ｂと蓋Ｃからなり、本体部分Ｂと蓋Ｃを介して結合した手帳型携帯ケースにおいて、投影型静電容量方式のタッチパネル式携帯端末装置Ｐｈが手帳型携帯ケースに収納されてなると共に、導電性パーツＫ１〜Ｋｎが、手帳型携帯ケースの蓋Ｃの表面から裏面を貫通するように設置されてなり、蓋Ｃを閉じた状態で、タッチパネル式携帯端末装置のパネル画面Ｐ１〜Ｐｎと接触してなり、蓋Ｃを閉じたままで、導電性パーツＫ１〜Ｋｎを指でスワイプすることによって、パネル画面Ｐ１〜Ｐｎに指でスワイプしたと同様の効果を得ることという特徴的な構成要件により、本発明が解決しようとする第１課題〜第２課題を達成することができ、当業者予測不可能な顕著な効果を奏することができた。
○第５の発明の効果
第５の発明によれば、
導電性パーツＫ１〜Ｋｎが、タッチパネル式携帯端末装置のパネル画面Ｐ１〜Ｐｎの直上に位置していることという特徴的な構成要件により、本発明が解決しようとする第１課題〜第２課題を達成することができ、当業者予測不可能な顕著な効果を奏することができた。
ここに、ｎは２以上の自然数である。
○第６の発明の効果
第６の発明によれば、
電話が掛かってきた場合、蓋Ｃを閉じたままで、Ｋ１〜Ｋ４をスワイプすることによって、パネル画面Ｐ１〜Ｐ４に指でスワイプしたと同様の効果を得ることという特徴的な構成要件により、本発明が解決しようとする第１課題〜第２課題を達成することができ、当業者予測不可能な顕著な効果を奏することができた。
○第７の発明の効果
第７の発明によれば、
電話が掛かってきた場合、蓋Ｃを閉じたままで、パネル画面観察窓Ｗｄｗに表示される電話番号を確認し、Ｋ１〜Ｋ４をスワイプすることによって、パネル画面Ｐ１〜Ｐ４に指でスワイプしたと同様の効果を得ることという特徴的な構成要件により、本発明が解決しようとする第１課題〜第２課題を達成することができ、当業者予測不可能な顕著な効果を奏することができた。
○第８の発明の効果
第８の発明によれば、
導電性パーツが、銅材、アルミニューム材、その他の金属材料、シリコン材等から構成されていることという特徴的な構成要件により、本発明が解決しようとする第１課題〜第２課題を達成することができ、当業者予測不可能な顕著な効果を奏することができた。
【発明を実施するための最良の形態】
【０００８】
以下、本発明に係る、導電性パーツ付き手帳型携帯ケースに関する最良の実施形態について、図面を参照しながら説明する。
図１は、本発明に係る、導電性パーツ付き手帳型携帯ケースと投影型静電容量方式のタッチパネル式携帯端末装置Ｐｈを表す斜視図である。
図２は、投影型静電容量方式の座標位置の測定原理を示す図である。
図３は、投影型静電容量方式のタッチパネルのＸ電極とＹ電極の配列状態を表す図である。
図４は、導電性パーツ指装着具である。
図５（ａ）図は、導電性パーツ付き手帳型携帯ケース（閉じた状態）の平面図を表し、図５（ｂ）図は、導電性パーツ付き手帳型携帯ケースを開いた状態でのタッチパネル式携帯端末装置Ｐｈの平面図を表す。
図６は、導電性パーツ付き手帳型携帯ケースの横断面図である。
図７は、模擬実験２において、導電性パーツＫ１、Ｋ２、Ｋ３、Ｋ４をタッチパネル部Ｐ１、Ｐ２、Ｐ３、Ｐ４の直上に載せて置き、導電性パーツＫ１〜Ｋ４がパネル画面Ｐ１〜Ｐ４に接触しているにも拘わらず、指がＰ１〜Ｐ４に触れていないと同様に何ら操作性に影響されないことを確認した図である。
以下、本発明に係る、導電性パーツ付き手帳型携帯ケースについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の導電性パーツ付き手帳型携帯ケースにおいて、
本体部分Ｂと蓋Ｃからなり、本体部分Ｂと蓋Ｃがヒンジ部ｈを介して結合した手帳型携帯ケースにおいて、投影型静電容量方式のタッチパネル式携帯端末装置Ｐｈが手帳型携帯ケースに収納されてなると共に、導電性パーツＫ１が、手帳型携帯ケースの蓋Ｃの表面から裏面を貫通して設置されてなり、蓋Ｃを閉じた状態で、タッチパネル式携帯端末装置のパネル画面Ｐ１と接触してなり、蓋Ｃを閉じたままで、導電性パーツＫ１を指でタッチすることによって、パネル画面Ｐ１に指でタッチしたと同様の効果を得ることを特徴とする導電性パーツ付き手帳型携帯ケースが開示されている。
○第１の発明の効果
第１の発明によれば、
本体部分Ｂと蓋Ｃからなり、本体部分Ｂと蓋Ｃがヒンジ部ｈを介して結合した手帳型携帯ケースにおいて、投影型静電容量方式のタッチパネル式携帯端末装置Ｐｈが手帳型携帯ケースに収納されてなると共に、導電性パーツＫ１が、手帳型携帯ケースの蓋Ｃの表面から裏面を貫通して設置されてなり、蓋Ｃを閉じた状態で、タッチパネル式携帯端末装置のパネル画面Ｐ１と接触してなり、蓋Ｃを閉じたままで、導電性パーツＫ１を指でタッチすることによって、パネル画面Ｐ１に指でタッチしたと同様の効果を得ることという特徴的な構成要件により、本発明が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の導電性パーツ付き手帳型携帯ケースにおいて、
導電性パーツＫ１が、タッチパネル式携帯端末装置のパネル画面Ｐ１の直上に位置していることを特徴とする請求項１に記載された導電性パーツ付き手帳型携帯ケースが開示されている。
○第２の発明の効果  
第２の発明によれば、
導電性パーツＫ１が、タッチパネル式携帯端末装置のパネル画面Ｐ１の直上に位置していることという特徴的な構成要件により、本発明が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の導電性パーツ付き手帳型携帯ケースにおいて、
導電性パーツＫ１を指でタップ、又は、スワイプすることによって、パネル画面Ｐ１に指で直接タップ、又は、スワイプしたと同様の効果を得ることを特徴とする請求項１〜２の何れかに記載された導電性パーツ付き手帳型携帯ケースが開示されている。
○第３の発明の効果
第３の発明によれば、
導電性パーツＫ１を指でタップ、又は、スワイプすることによって、パネル画面Ｐ１に指で直接タップ、又は、スワイプしたと同様の効果を得ることという特徴的な構成要件により、本発明が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の導電性パーツ付き手帳型携帯ケースにおいて、
本体部分Ｂと蓋Ｃからなり、本体部分Ｂと蓋Ｃを介して結合した手帳型携帯ケースにおいて、投影型静電容量方式のタッチパネル式携帯端末装置Ｐｈが手帳型携帯ケースに収納されてなると共に、導電性パーツＫ１〜Ｋｎが、手帳型携帯ケースの蓋Ｃの表面から裏面を貫通するように設置されてなり、蓋Ｃを閉じた状態で、タッチパネル式携帯端末装置のパネル画面Ｐ１〜Ｐｎと接触してなり、蓋Ｃを閉じたままで、導電性パーツＫ１〜Ｋｎを指でスワイプすることによって、パネル画面Ｐ１〜Ｐｎに指でスワイプしたと同様の効果を得ることという特徴的な構成要件により、本発明が解決しようとする第１課題〜第２課題を達成することができ、当業者予測不可能な顕著な効果を奏することができた。
ここに、ｎは２以上の自然数である。
○第４の発明の効果
第４の発明によれば、
本体部分Ｂと蓋Ｃからなり、本体部分Ｂと蓋Ｃを介して結合した手帳型携帯ケースにおいて、投影型静電容量方式のタッチパネル式携帯端末装置Ｐｈが手帳型携帯ケースに収納されてなると共に、導電性パーツＫ１〜Ｋｎが、手帳型携帯ケースの蓋Ｃの表面から裏面を貫通するように設置されてなり、蓋Ｃを閉じた状態で、タッチパネル式携帯端末装置のパネル画面Ｐ１〜Ｐｎと接触してなり、蓋Ｃを閉じたままで、導電性パーツＫ１〜Ｋｎを指でスワイプすることによって、パネル画面Ｐ１〜Ｐｎに指でスワイプしたと同様の効果を得ることという特徴的な構成要件により、本発明が解決しようとする第１課題〜第２課題を達成することができ、当業者予測不可能な顕著な効果を奏することができた。
ここに、ｎは２以上の自然数である。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の導電性パーツ付き手帳型携帯ケースにおいて、
導電性パーツＫ１〜Ｋｎが、タッチパネル式携帯端末装置のパネル画面Ｐ１〜Ｐｎの直上に位置していることを特徴とする請求項１〜４の何れかに記載された導電性パーツ付き手帳型携帯ケースが開示されている。
ここに、ｎは２以上の自然数である。
○第５の発明の効果
第５の発明によれば、
導電性パーツＫ１〜Ｋｎが、タッチパネル式携帯端末装置のパネル画面Ｐ１〜Ｐｎの直上に位置していることという特徴的な構成要件により、本発明が解決しようとする第１課題〜第２課題を達成することができ、当業者予測不可能な顕著な効果を奏することができた。
ここに、ｎは２以上の自然数である。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の導電性パーツ付き手帳型携帯ケースにおいて、
電話が掛かってきた場合、蓋Ｃを閉じたままで、Ｋ１〜Ｋ４をスワイプすることによって、パネル画面Ｐ１〜Ｐ４に指でスワイプしたと同様の効果を得ることを特徴とする請求項１〜５の何れかに記載された導電性パーツ付き手帳型携帯ケースが開示されている。
○第６の発明の効果
第６の発明によれば、
電話が掛かってきた場合、蓋Ｃを閉じたままで、Ｋ１〜Ｋ４をスワイプすることによって、パネル画面Ｐ１〜Ｐ４に指でスワイプしたと同様の効果を得ることという特徴的な構成要件により、本発明が解決しようとする第１課題〜第２課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の導電性パーツ付き手帳型携帯ケースにおいて、
電話が掛かってきた場合、蓋Ｃを閉じたままで、パネル画面観察窓Ｗｄｗに表示される電話番号を確認し、Ｋ１〜Ｋ４をスワイプすることによって、パネル画面Ｐ１〜Ｐ４に指でスワイプしたと同様の効果を得ることを特徴とする請求項１〜６の何れかに記載された導電性パーツ付き手帳型携帯ケースが開示されている。
○第７の発明の効果
第７の発明によれば、
電話が掛かってきた場合、蓋Ｃを閉じたままで、パネル画面観察窓Ｗｄｗに表示される電話番号を確認し、Ｋ１〜Ｋ４をスワイプすることによって、パネル画面Ｐ１〜Ｐ４に指でスワイプしたと同様の効果を得ることという特徴的な構成要件により、本発明が解決しようとする第１課題〜第２課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の導電性パーツ付き手帳型携帯ケースにおいて、
導電性パーツが、銅材、アルミニューム材、その他の金属材料、シリコン材等から構成されていることを特徴とする請求項１〜７の何れかに記載された導電性パーツ付き手帳型携帯ケースが開示されている。
○第８の発明の効果
第８の発明によれば、
導電性パーツが、銅材、アルミニューム材、その他の金属材料、シリコン材等から構成されていることという特徴的な構成要件により、本発明が解決しようとする第１課題〜第２課題を達成することができ、当業者予測不可能な顕著な効果を奏することができた。
【図面の簡単な説明】
【０００９】
【図１】図１は、本発明に係る、導電性パーツ付き手帳型携帯ケースと投影型静電容量方式のタッチパネル式携帯端末装置Ｐｈを表す斜視図である。
【図２】図２は、投影型静電容量方式の座標位置の測定原理を示す図である。
【図３】図３は、投影型静電容量方式のタッチパネルのＸ電極とＹ電極の配列状態を表す図である。
【図４】図４は、導電性パーツ指装着具である。
【図５】図５（ａ）図は、導電性パーツ付き手帳型携帯ケース（閉じた状態）の平面図を表し、図５（ｂ）図は、導電性パーツ付き手帳型携帯ケースを開いた状態でのタッチパネル式携帯端末装置Ｐｈの平面図を表す。
【図６】図６は、導電性パーツ付き手帳型携帯ケースの横断面図である。
【図７】図７は、模擬実験２において、導電性パーツＫ１、Ｋ２、Ｋ３、Ｋ４をタッチパネル部Ｐ１、Ｐ２、Ｐ３、Ｐ４の直上に載せて置き、導電性パーツＫ１〜Ｋ４がパネル画面Ｐ１〜Ｐ４に接触しているにも拘わらず、指がＰ１〜Ｐ４に触れていないと同様に何ら操作性に影響されないことを確認した図である。
【符号の説明】
【００１０】
１００…導電性パーツ付き手帳型携帯ケース
Ｂ…本体部分
Ｃ…蓋Ｃ
ｈ…ヒンジ部
Ｗｄｗ…パネル画面観察窓
Ｐｈ…投影型静電容量方式のタッチパネル式携帯端末装置
Ｐ…パネル画面
Ｋ１、Ｋ２、Ｋ３、Ｋ４…導電性パーツ
Ｐ１、Ｐ２、Ｐ３、Ｐ４…導電性パーツに対応するパネル画面中の導電性パーツＫ１、Ｋ２、Ｋ３、Ｋ４に対応するパネル画面
１０…導電性パーツ指付着具
ｆｉｎ…指
ｔｇ…指留め具
Ｋ１…導電性パーツ
ｔ…導電性パーツＫ１、Ｋ２、Ｋ３、Ｋの厚さ（ｃｍ）
ｌｘ…導電性パーツＫ１、Ｋ２、Ｋ３、Ｋのｘ方向長さ（ｃｍ）
ｌｙ…導電性パーツＫ１、Ｋ２、Ｋ３、Ｋのｙ方向長さ（ｃｍ）
【要約】
【課題】手帳型携帯ケースに収納されてなる投影型静電容量方式タッチパネル式携帯電子機器においては、手帳型携帯ケースの蓋の開操作を行わなくても入力操作を可能とした導電性パーツ付き手帳型携帯ケースを提供することである。
【解決手段】本体部分Ｂと蓋Ｃからなり、本体部分Ｂと蓋Ｃがヒンジ部ｈを介して結合した手帳型携帯ケースにおいて、投影型静電容量方式のタッチパネル式携帯電子機器Ｐｈが手帳型携帯ケースに収納されてなると共に、導電性パーツＫ１が、手帳型携帯ケースの蓋Ｃの表面から裏面を貫通して設置されてなり、蓋Ｃを閉じた状態で、タッチパネル式携帯電子機器のパネル画面Ｐ１と接触してなり、蓋Ｃを閉じたままで、導電性パーツＫ１を指でタッチすることによって、パネル画面Ｐ１に指でタッチしたと同様の効果を得ることを特徴とする導電性パーツ付き手帳型携帯ケース。
【選択図】図１【図１】
0005842079.tif 000002
【図４】
0005842079.tif 000003
【図５】
0005842079.tif 000004
【図６】
0005842079.tif 000005
【図７】
0005842079.tif 000006
【図２】
0005842079.tif 000007
【図３】
0005842079.tif 000008